【手続補正書】
【提出日】平成16年1月5日(2004.1.5)
【手続補正１】
【補正対象書類名】明細書
【補正対象項目名】特許請求の範囲
【補正方法】変更
【補正の内容】
【特許請求の範囲】
【請求項１】
廃棄物を流動層ガス化炉にて熱分解ガス化し、溶融炉にて灰分を溶融スラグ化する廃棄物処理方法において、
該溶融炉から排出される排ガスから集塵工程にて灰を捕集し、
該捕集灰を該流動層ガス化炉または溶融炉に戻し、残りの捕集灰を外部へ排出することを特徴とする廃棄物処理方法。
【請求項２】
廃棄物をガス化炉にて熱分解ガス化してガスと固形カーボンを生成し、該ガスと固形カーボンをともに溶融炉に導入して該溶融炉にて灰分を溶融スラグ化する廃棄物処理方法において、
該溶融炉から排出される排ガスから集塵工程にて灰を捕集し、
該捕集灰を該ガス化炉または溶融炉に戻し、残りの捕集灰を外部へ排出することを特徴とする廃棄物処理方法。
【請求項３】
前記集塵工程は、濾過集塵工程であることを特徴とする請求項１又は２記載の廃棄物処理方法。
【請求項４】
廃棄物を流動層ガス化炉にて熱分解ガス化し、溶融炉にて灰分を溶融スラグ化する廃棄物処理方法において、
該溶融炉から排出される排ガスを冷却工程または熱回収工程に導入し、該冷却工程又は熱回収工程にて得られた捕集灰を該流動層ガス化炉または溶融炉に戻し、残りの捕集灰を外部へ排出することを特徴とする廃棄物処理方法。
【請求項５】
廃棄物を流動層ガス化炉で熱分解ガス化し、溶融炉にて灰分を溶融スラグ化する廃棄物処理方法において、
該溶融炉から排出される排ガスに含まれる比較的粒度の粗い灰を捕集する遠心力集塵工程と、
該遠心力集塵工程にて捕集された捕集灰を流動層ガス化炉または溶融炉に戻す工程と、
該遠心力集塵工程から排出される排ガスに含まれる比較的粒度の細かい灰を捕集する濾過集塵工程と、
該濾過集塵工程にて捕集された灰を外部へ排出する工程とからなることを特徴とする廃棄物処理方法。
【請求項６】
廃棄物を流動層ガス化炉で熱分解ガス化し、溶融炉にて灰分を溶融スラグ化する廃棄物処理方法において、
該溶融炉から排出される排ガスから集塵工程にて灰を捕集し、
該捕集灰を灰ホッパに貯留するか又は外部に排出し、
該灰ホッパ内に貯留された捕集灰を該流動層ガス化炉または溶融炉に戻すことを特徴とする廃棄物処理方法。
【請求項７】
気流搬送により前記捕集灰を戻すことを特徴とする請求項１乃至６のいずれか１項に記載の廃棄物処理方法。
【請求項８】
廃棄物を熱分解ガス化する流動層ガス化炉と、灰分を溶融スラグ化する溶融炉とを備えた廃棄物処理装置において、
該溶融炉から排出される排ガスから灰を捕集する集塵手段と、
捕集された捕集灰を該流動層ガス化炉または溶融炉に戻す灰返送手段と、
残りの捕集灰を外部に排出する手段とを備えたことを特徴とする廃棄物処理装置。
【請求項９】
廃棄物を熱分解ガス化してガスと固形カーボンを生成するガス化炉と、該ガスと固形カーボンをともに導入して灰分を溶融スラグ化する溶融炉とを備えた廃棄物処理装置において、
該溶融炉から排出される排ガスから灰を捕集する集塵手段と、
捕集された捕集灰を該ガス化炉または溶融炉に戻す灰返送手段と、
残りの捕集灰を外部に排出する手段とを備えたことを特徴とする廃棄物処理装置。
【請求項１０】
廃棄物を熱分解ガス化する流動層ガス化炉と、灰分を溶融スラグ化する溶融炉とを備えた廃棄物処理装置において、
該溶融炉から排出される排ガスから灰を捕集する集塵手段と、
該溶融炉から排出される排ガスから捕集された捕集灰を貯留する灰ホッパと、
該捕集灰を外部に排出する手段と、
該灰ホッパ内に貯留された捕集灰を流動層ガス化炉または溶融炉に戻す灰返送手段とを備えたことを特徴とする廃棄物処理装置。
【請求項１１】
廃棄物を熱分解ガス化する流動層ガス化炉と、灰分を溶融スラグ化する溶融炉とを備えた廃棄物処理装置において、
該溶融炉から排出される排ガスに含まれる比較的粒度の粗い灰を捕集する遠心力集塵手段と、
該遠心力集塵手段から排出される排ガスに含まれる比較的粒度の細かい灰を捕集する濾過集塵手段と、
該遠心力集塵手段にて捕集された捕集灰を貯留する灰ホッパと、
該灰ホッパ内に貯留された捕集灰を該流動層ガス化炉または溶融炉に戻す灰返送手段とを備えたことを特徴とする廃棄物処理装置。
【請求項１２】
前記集塵手段は、濾過集塵手段であることを特徴とする請求項８又は９又は１０に記載の廃棄物処理装置。
【請求項１３】
前記灰返送手段は、気流搬送手段であることを特徴とする請求項８乃至１２のいずれか１項に記載の廃棄物処理装置。
【手続補正２】
【補正対象書類名】明細書
【補正対象項目名】０００１
【補正方法】変更
【補正の内容】
【０００１】
【発明の属する技術分野】
本発明は、例えば都市ごみ、固形化燃料、スラリー化燃料、廃プラスチック、廃ＦＲＰ、バイオマス廃棄物、自動車廃棄物、低品位炭、廃油等の廃棄物を処理するのに最適な廃棄物処理方法及び装置に係り、特に廃棄物をガス化溶融することにより、ダイオキシン類を発生することなく完全燃焼させ、廃棄物中に含有される灰分を溶融スラグ化するようにした環境保全型の廃棄物処理方法及び装置に関する。


【手続補正３】
【補正対象書類名】明細書
【補正対象項目名】００１２
【補正方法】変更
【補正の内容】
【００１２】
【課題を解決するための手段】
本発明の廃棄物処理方法は、廃棄物を流動層ガス化炉にて熱分解ガス化し、溶融炉にて灰分を溶融スラグ化する廃棄物処理方法において、該溶融炉から排出される排ガスから集塵工程にて灰を捕集し、該捕集灰を該流動層ガス化炉または溶融炉に戻し、残りの捕集灰を外部へ排出することを特徴とするものである。
本発明の他の態様は、廃棄物をガス化炉にて熱分解ガス化してガスと固形カーボンを生成し、該ガスと固形カーボンをともに溶融炉に導入して該溶融炉にて灰分を溶融スラグ化する廃棄物処理方法において、該溶融炉から排出される排ガスから集塵工程にて灰を捕集し、該捕集灰を該ガス化炉または溶融炉に戻し、残りの捕集灰を外部へ排出することを特徴とするものである。
本発明の好ましい態様によれば、前記集塵工程は、濾過集塵工程である。
本発明の他の態様は、廃棄物を流動層ガス化炉にて熱分解ガス化し、溶融炉にて灰分を溶融スラグ化する廃棄物処理方法において、該溶融炉から排出される排ガスを冷却工程または熱回収工程に導入し、該冷却工程又は熱回収工程にて得られた捕集灰を該流動層ガス化炉または溶融炉に戻し、残りの捕集灰を外部へ排出することを特徴とするものである。
本発明の他の態様は、廃棄物を流動層ガス化炉で熱分解ガス化し、溶融炉にて灰分を溶融スラグ化する廃棄物処理方法において、該溶融炉から排出される排ガスに含まれる比較的粒度の粗い灰を捕集する遠心力集塵工程と、該遠心力集塵工程にて捕集された捕集灰を流動層ガス化炉または溶融炉に戻す工程と、該遠心力集塵工程から排出される排ガスに含まれる比較的粒度の細かい灰を捕集する濾過集塵工程と、該濾過集塵工程にて捕集された灰を外部へ排出する工程とからなることを特徴とするものである。
本発明の他の態様は、廃棄物を流動層ガス化炉で熱分解ガス化し、溶融炉にて灰分を溶融スラグ化する廃棄物処理方法において、該溶融炉から排出される排ガスから集塵工程にて灰を捕集し、該捕集灰を灰ホッパに貯留するか又は外部に排出し、該灰ホッパ内に貯留された捕集灰を該流動層ガス化炉または溶融炉に戻すことを特徴とするものである。
本発明の好ましい態様によれば、気流搬送により前記捕集灰を戻す。
本発明の廃棄物処理装置は、廃棄物を熱分解ガス化する流動層ガス化炉と、灰分を溶融スラグ化する溶融炉とを備えた廃棄物処理装置において、該溶融炉から排出される排ガスから灰を捕集する集塵手段と、捕集された捕集灰を該流動層ガス化炉または溶融炉に戻す灰返送手段と、残りの捕集灰を外部に排出する手段とを備えていることを特徴とするものである。
本発明の他の態様は、廃棄物を熱分解ガス化してガスと固形カーボンを生成するガス化炉と、該ガスと固形カーボンをともに導入して灰分を溶融スラグ化する溶融炉とを備えた廃棄物処理装置において、該溶融炉から排出される排ガスから灰を捕集する集塵手段と、捕集された捕集灰を該ガス化炉または溶融炉に戻す灰返送手段と、残りの捕集灰を外部に排出する手段とを備えていることを特徴とするものである。
本発明の他の態様は、廃棄物を熱分解ガス化する流動層ガス化炉と、灰分を溶融スラグ化する溶融炉とを備えた廃棄物処理装置において、該溶融炉から排出される排ガスから灰を捕集する集塵手段と、該溶融炉から排出される排ガスから捕集された捕集灰を貯留する灰ホッパと、該捕集灰を外部に排出する手段と、該灰ホッパ内に貯留された捕集灰を流動層ガス化炉または溶融炉に戻す灰返送手段とを備えていることを特徴とするものである。
本発明の他の態様は、廃棄物を熱分解ガス化する流動層ガス化炉と、灰分を溶融スラグ化する溶融炉とを備えた廃棄物処理装置において、該溶融炉から排出される排ガスに含まれる比較的粒度の粗い灰を捕集する遠心力集塵手段と、該遠心力集塵手段から排出される排ガスに含まれる比較的粒度の細かい灰を捕集する濾過集塵手段と、該遠心力集塵手段にて捕集された捕集灰を貯留する灰ホッパと、該灰ホッパ内に貯留された捕集灰を該流動層ガス化炉または溶融炉に戻す灰返送手段とを備えていることを特徴とするものである。
本発明の好ましい態様によれば、前記集塵手段は、濾過集塵手段である。
本発明の好ましい態様によれば、前記灰返送手段は、気流搬送手段である。
本発明の廃棄物処理方法の好ましい態様は、廃棄物を流動層ガス化炉で低温で熱分解ガス化した後に、溶融炉で高温で溶融燃焼させる廃棄物処理方法であって、前記溶融炉から排出される排ガスの冷却工程、熱回収工程および濾過集塵工程の少なくとも１つの工程にて得られた捕集灰の大部分を前記流動層ガス化炉または溶融炉に戻すことを特徴とする。


【手続補正４】
【補正対象書類名】明細書
【補正対象項目名】００１３
【補正方法】変更
【補正の内容】
【００１３】
このように構成した本発明によれば、溶融炉の排ガスに同伴する灰分を捕集することによって得られる捕集灰の大部分を再度溶融炉又はガス化炉に戻して処理する。これによって溶融スラグとして回収する割合を増やし、残りの少量の捕集灰のみを埋立処分とすることができる。


【手続補正５】
【補正対象書類名】明細書
【補正対象項目名】００１７
【補正方法】変更
【補正の内容】
【００１７】
本発明の廃棄物処理装置の好ましい態様は、廃棄物を低温で熱分解ガス化する流動層ガス化炉と、該流動層ガス化炉から排出されるガスを高温で溶融燃焼させる溶融炉とを備えた廃棄物処理装置であって、前記溶融炉から排出される排ガスから捕集された捕集灰を、切替弁を介して選択的に一旦貯留する灰ホッパと、この灰ホッパ内に貯留された捕集灰を前記流動層ガス化炉または溶融炉に間欠的に戻す灰帰還手段とを備えたことを特徴とする。


【手続補正６】
【補正対象書類名】明細書
【補正対象項目名】００１９
【補正方法】変更
【補正の内容】
【００１９】
本発明の廃棄物処理装置の好ましい態様は、廃棄物を低温で熱分解ガス化する流動層ガス化炉と、該流動層ガス化炉から排出されるガスを高温で溶融燃焼させる溶融炉とを備えた廃棄物処理装置において、前記溶融炉から排出される排ガス中の灰分を分級して粒径の大きな灰のみを捕集する集塵装置と、この集塵装置によって捕集された捕集灰を貯留する灰ホッパと、この灰ホッパ内の捕集灰を前記流動層ガス化炉または溶融炉に戻す灰帰還手段とを備えたことを特徴とする。